(57)【特許請求の範囲】
【請求項１】
記録媒体に記録された映像信号を少なくとも再生する信号処理手段と、
前記信号処理手段の出力信号を１フィールド又は１フレーム期間記憶する記憶手段と、
前記信号処理手段の出力信号と前記記憶手段の出力信号を切換え出力する切換手段と、
前記信号処理手段と前記切換手段と前記記憶手段とを夫々制御する制御手段とを有し、
編集指示情報に基づいて前記記録媒体に記録された前記映像信号を前記切換手段の切換えにより所望の順番に編集再生することを特徴とする編集装置。
【請求項２】
請求項１記載の編集装置であって、
前記制御手段は、前記映像信号を所望の順番に編集して再生する制御を行うための編集情報を記憶保持する記憶保持手段と、
前記記録媒体に、前記映像信号を所望の順番に編集して再生する制御を行うための編集情報を記録保持するための記録手段と、
をさらに有し、
前記記憶保持手段により記憶された、あるいは前記記録手段により前記記録媒体に記録された前記編集情報により、前記映像信号を所望の順番に編集して再生するよう制御するようにしたことを特徴とする編集装置。
【発明の詳細な説明】
【０００１】
【産業上の利用分野】
本発明は、映像信号を記録した記録媒体から再生され編集された映像信号を連続して再生する編集装置に関するものである。
【０００２】
【従来の技術】
図６は従来の編集装置のブロック図である。
【０００３】
従来、例えば、磁気テープ又はビデオディスク等の記録媒体に記録された映像場面（シーン）を所望の順序で連続して再生するという映像の編集を行う場合、先ず映像信号再生装置等によって所望のシーンを再生する都度、別の映像信号記録装置等によって再生されたその映像を磁気テープ等に順次記録（ダビング）し、こうして編集された映像を記録し、これを再生することで編集された映像を再現していた。
【０００４】
一例として、図６に示すように、上記した映像の編集を行うシステムブロックについて説明する。まずこの編集装置は、映像信号が記録された図示しない記録媒体から所望の映像場面（シーン）を再生する映像信号再生手段１０と、この映像信号再生手段１０が再生した映像信号１０ａを記録する映像信号記録手段１２と、前記した映像信号再生手段１０及び映像信号記録手段１２の再生及び記録動作を夫々制御する制御手段１１とから構成される。
【０００５】
ここで、前記した記録媒体には映像信号と共に制御用の信号として、例えば、コントロール信号、ピクチャ信号又はタイムコード等のアドレス情報が記録されており、映像信号の再生と同時に、伝送路１０ｂを介してこのアドレス情報を時々刻々と制御手段１１に供給することによって映像信号記録手段１２で記録された映像信号の制御（画像検索（例えば、画像の早送り）や場面指定（例えば、シーンの頭出し））を行ったり、また制御手段１１は再生した映像信号の経過時間の表示等を行っていた。そこで、前記した制御手段１１は再生すべきシーンの再生を開始する位置と再生を終了する位置を前記したアドレス情報によって設定し、これに基づいて前記した映像信号再生手段１０が個々のシーンの再生開始と再生終了を行うよう制御し、これと同期して前記した映像信号記録手段１２がその映像信号の記録開始と記録停止を行うよう制御する。
【０００６】
例えば、ユーザが図示しない操作部を操作することによって所望の順番でシーンを再生するよう順番毎に再生開始するシーンのアドレス情報と再生終了するアドレス情報を前記した制御手段１１に入力すると、これに応じたシーンの再生開始のアドレス情報に基づいた制御信号１１ａを映像信号再生手段１０に供給する。この映像信号再生手段１０は制御信号１１ａに基づいて映像信号の再生開始を行う。同時に、前記した制御手段１１は前記した映像信号記録手段１２に映像の記録開始に基づく制御信号１１ｂを供給し、これに基づいて映像信号記録手段１２は前記した映像信号再生手段１０から供給された映像信号の記録を開始する。ここで、前記した映像信号再生手段１０は、例えば、記録媒体に変調記録された映像信号を再生復調する周知の信号処理手段を持つものであり、前記した映像信号記録手段１１は、この映像信号を、例えば、磁気テープ等の記録媒体に記録する周知のＶＴＲの信号記録手段を持つものである。
【０００７】
そして、前記した制御手段１１が伝送路１０ｂを介して供給される映像信号再生手段１０からのアドレス情報から再生終了のアドレス情報を検出したら、シーンの再生終了を行う旨の前記した制御信号１１ａを出力することによって映像信号再生手段１０の映像信号の再生を停止し、同時に前記した映像信号記録装置１２の記録を終了する。
【０００８】
こうして、上記したように編集（所望の順番毎に再生）されたシーンの映像を記録した記録媒体（例えば、磁気テープ）を複製として作り、この複製を再生することによって編集された映像信号を再現する。
【０００９】
また、従来、光ディスク等の再生装置に係り、特に上記光ディスクの信号をランダムに選択した位置を連続的につなげて再生し得る様にしたディスク再生装置（実公平５−１９９１６号公報）が提案されていた。
【００１０】
【発明が解決しようとする課題】
しかしながら、上記した編集装置において、編集した映像を再現するために複製を作成しなければならないので、個別の映像信号再生手段と映像信号記録手段とが夫々必要であったという欠点を有してした。また、この複製を作成するときにダビングを行うことにより、編集された映像信号のＳ／Ｎ劣化等が避けられないという欠点を有していた。即ち、例えば、カメラ一体型ＶＴＲによって撮影した家族や子供の映像を見たいところだけ編集して再生するには別の磁気テープ等にダビングする必要があった。
【００１１】
更にまた、上記したようなディスク再生装置において、光ディスクの信号をランダムに選択した位置を連続的につなげて再生するために大容量のバッファメモリが必要であるためコスト高であると同時にその書き込みと読み出しに複雑な制御を要していたという欠点があった。
【００１２】
一方で、上記したカメラ一体型ＶＴＲの映像信号記録再生装置が磁気テープの代わりに光磁気ディスク等の光磁気記録媒体を用いる映像信号記録再生装置であるとき、信号を記録したこの光磁気記録媒体上の任意の再生位置の検索動作（いわゆるランダムアクセス）が可能となるので、この光磁気記録媒体から直接シーンを編集して再生することが可能となる。そこで、例えば、この光磁気記憶媒体から直接シーンを編集するとき簡易なメモリ回路を用いてその場面切換えをより自然に行うことで係る映像信号をとぎれること無く再生し、複製を介さないことによってダビングから生じる映像信号のＳ／Ｎ劣化を改善し、更に、この光磁気記録媒体上に１度設定した編集に関する情報を記憶保持しておくことにより何度でもこの編集の順番を再現して再生する編集装置が待たれていた。
【００１３】
【課題を解決するための手段】
よって、本発明は上記した課題を解決するため、以下の構成を提供するものである。
（１）  記録媒体に記録された映像信号を少なくとも再生する信号処理手段と、
前記信号処理手段の出力信号を１フィールド又は１フレーム期間記憶する記憶手段と、
前記信号処理手段の出力信号と前記記憶手段の出力信号を切換え出力する切換手段と、
前記信号処理手段と前記切換手段と前記記憶手段とを夫々制御する制御手段とを有し、
編集指示情報に基づいて前記記録媒体に記録された前記映像信号を前記切換手段の切換えにより所望の順番に編集再生することを特徴とする編集装置。
（２）  上記（１）記載の編集装置であって、
前記制御手段は、前記映像信号を所望の順番に編集して再生する制御を行うための編集情報を記憶保持する記憶保持手段と、
前記記録媒体に、前記映像信号を所望の順番に編集して再生する制御を行うための編集情報を記録保持するための記録手段と、
をさらに有し、
前記記憶保持手段により記憶された、あるいは前記記録手段により前記記録媒体に記録された前記編集情報により、前記映像信号を所望の順番に編集して再生するよう制御するようにしたことを特徴とする編集装置。
【００１４】
【実施例】
図１は本発明に係る編集装置の一実施例を説明するためのブロック図、図２は制御手段の動作を説明するためのブロック図、図３はサーチ動作を説明するためのフローチャート、図４は信号処理手段の動作を説明するためのブロック図、図５は本発明に係る編集装置の動作を説明するためのタイムチャートである。以下、図面を参照しつつ本発明の実施例を説明する。また、前述したものと同一の構成部分には同一符号を付し、その説明を省略する。
【００１５】
本発明に係る編集装置は、記録媒体１に記録された映像信号を少なくとも再生する信号処理手段２と、前記信号処理手段２の出力信号２ａを記憶する記憶手段３と、前記信号処理手段２の出力信号２ａと前記記憶手段３の出力信号３ａを切換え出力する切換手段４と、前記信号処理手段２と前記切換手段４と前記記憶手段３とを夫々制御する制御手段５とを有し、編集指示情報５１ａに基づいて前記記録媒体１に記録された前記映像信号を前記切換手段４の切換えにより所望の順番に編集再生するよう構成した。また、上記記載の編集装置であって、前記記録媒体１は、前記映像信号を所望の順番に編集して再生する制御を行うための編集情報を記憶保持するよう構成した。
【００１６】
さて、図１に示すように、本発明に係る編集装置は、後述するように前記した制御手段５に入力された後述する編集指示に基づいて記録媒体１（例えば、光ディスク）に記録された映像シーンを場面毎に所望の順番で再生出力可能とするものである。また、このときこの映像シーンを場面毎に再生する際、記録媒体１上を検索するというランダムアクセスを行うが、このランダムアクセス中は映像信号が再生されないため、この期間後述するメモリ手段３によって記憶された映像信号を出力することで編集された映像信号をとぎれること無く出力するものである。
【００１７】
更に、前記した編集指示は記録媒体１上の所定の場所に記録保持されることによって、再び同じ記録媒体を再生するとき、再生動作に先立ってこの編集指示を読み出すことによって１度設定した編集指示を再現し、これに基づいて記録された映像シーンを場面毎に所望の順番で再生するものである。
【００１８】
本編集装置は、後述する信号処理手段２によってこの記録媒体１に記録された信号を再生し、再生された信号を映像信号に変換出力し、次段のメモリ手段３及び切換手段４に夫々供給する。このメモリ手段３は、例えば、連続して送られてくる映像信号の内、所定のフィールドあるいはフレーム期間に送られる映像信号の静止画像（静止画像信号）を記憶できる容量を持つもので、この静止画像信号を記憶し、後述する制御手段５からの制御信号によって記憶した静止画像信号を前記した切換手段４に供給する。また、前記した制御手段５は、例えば、後述する図示しない操作部からの情報信号に基づく制御信号５ａ，５ｂ，５ｃによって前記した信号処理手段２、メモリ手段３及び切換手段４を夫々制御するものであり、このメモリ手段３はこの制御信号５ｂに基づいて記憶した静止画像信号を前記した切換手段４に出力するものであり、この切換手段４はこの制御信号５ｃに基づいて前記した信号処理手段２及びメモリ手段３から供給された映像信号及び静止画像信号のいずれかを図示しない伝送路に切換え出力する。
【００１９】
次に、上記した構成を有する編集装置の動作について説明する。
【００２０】
図２に示すように、上記した制御手段５はＣＰＵ５１，制御ＣＰＵ５２，キャラクタ発生ＩＣ５３から主に構成される。例えば、ユーザは前記した操作部を操作することによって前記した記録媒体１に記録された映像を所望の順番で再生する指示（編集指示）を制御手段５のＣＰＵ５１に入力する。ここでＣＰＵ５１は入力された編集指示の解読を行い、この編集指示に基づく編集情報を制御ＣＰＵ５２に出力する。この制御ＣＰＵ５２はこの編集情報を受けて図３に示すフローチャートに沿って後述する映像のサーチ（特定の画像を検索するランダムアクセス動作）を行う。
また、この制御ＣＰＵ５２は、図示しない編集装置各部より内部状態（例えば、信号処理手段２が現在通常再生中である等の状態）を表すステータス信号を受けて、例えば、アドレス情報検索制御や再生、停止等を制御する制御信号５ａ（信号処理制御信号）を前記した信号処理手段２に供給し、編集装置各部の内部状態を表示する表示信号（ＬＥＤ表示信号）を図示しない伝送路（例えば、本編集装置の外装に設けられたディスプレイ等）に出力し、図２に図示の伝送路５３ａによってキャラクタ発生ＩＣ５３とデータの受け渡しを行う。このキャラクタ発生ＩＣ５３には、記録媒体１から再生される信号の内、図示しない分離手段によって得られた前記したアドレス情報の内、例えば、ピクチャ番号（記録媒体に記録された制御用特殊信号として映像信号の垂直帰線期間内の水平走査線上に記録されるパルスコードの一種をいう）が伝送路２ｂを経て前記したキャラクタ発生ＩＣ５３に供給される。また、このキャラクタ発生ＩＣ５３には再生された映像信号から得られる水平同期信号及び垂直同期信号が図示しない伝送路を経て常に供給されており、ここでこれら信号を解読して、例えば、映像信号のピクチャ番号あるいは経過時間等の情報（キャラクタ信号）を生成し、これを図示しない伝送路を経て後述するキャラクタ加算器３４に出力する。
更に、この制御ＣＰＵ５２は、例えば、この編集装置がサーチを行うときに不必要な映像信号、音声信号をミュートする制御信号（図示しないスケルチ情報）を後述するスケルチスイッチ手段３３に供給する。
【００２１】
前記した制御ＣＰＵ５２は、前記したＣＰＵ５１からの解読された編集情報５１ａによって、例えば、再生を開始する映像のピクチャ番号（ＳＰＮ）と、再生を終了する映像のピクチャ番号（ＥＰＮ）が設定されるので、この再生を開始する映像のピクチャ番号のサーチを開始する制御信号５ａを出力する。
【００２２】
サーチの開始が指示（図３に図示のステップＳ１）されると、次のステップＳ２において、時々刻々と変化してキャラクタ発生ＩＣ５３に供給される映像のピクチャ番号（ＣＰＮ）を解読し、ＳＰＮの両番号と比較し、例えば、ＳＰＮが大きい場合、映像信号を現在再生している位置より後に所望の映像が記録されているとしてステップＳ３においてこの番号を行き過ぎるまでピックアップ（後述するフォトダイオード２１が構成される信号読取り装置）を正方向（例えば、ディスクの外周方向）へ高速で早送りし、例えば、このＳＰＮが小さい場合、映像信号を現在再生している位置より前に所望の映像が記録されているとしてステップＳ４においてこの番号を行き過ぎるまで前記したピックアップを逆方向（例えば、ディスクの内周方向）へ高速で早送りする。
【００２３】
そして、ステップＳ５においてこのＳＰＮとＣＰＮとを比較し、このＳＰＮが小さい場合、まだピックアップがこの番号に達していないとしてステップＳ４の動作を繰り返し、このＳＰＮが大きい場合、目的番号であるＳＰＮを逆方向から通り過ぎたとしてステップＳ６において、ピックアップを正方向に低速早送りする。
【００２４】
再びステップＳ７においてこのＳＰＮとＣＰＮとを比較し、このＳＰＮが大きい場合、ステップＳ６の動作を繰り返してＳＰＮに近付き、このＳＰＮが小さい場合、図示しないスライダサーボ（ピックアップ全体を駆動するサーボ）動作に切換えて、低速でピックアップを送り、ＳＰＮの位置を探す。
ステップＳ９においてＳＰＮとＣＰＮを比較し、ＳＰＮが小さくなった場合、このＳＰＮを正方向から通り過ぎたとして逆方向にジャンプ（例えば、記録媒体上に隣接して形成される信号記録トラックを横切って移動）してＳＰＮの位置を探し、ＳＰＮが大きくなった場合、ＣＰＮがＳＰＮと一致するまでスライダサーボでピックアップを送る。そして、ステップＳ１２でＣＰＮがＳＰＮと一致したらステップＳ１３においてサーチを終了する。
【００２５】
上記したサーチによってＳＰＮの位置に達すると、前記した制御ＣＰＵ５２によって、そこから前記したＥＰＮを検出するまで通常再生を行う。そして、前記したキャラクタ発生ＩＣ５３によってＥＰＮの位置に達したことを検出すると、前記した制御ＣＰＵ５２によって通常再生を終了し、前記したＣＰＵ５１に入力された編集情報の順番に従って前記したサーチの動作に戻り、次のシーンが始まるＳＰＮのサーチを開始する指示動作を行う。このとき、前記した制御ＣＰＵ５２は後述するメモリ手段３及び切換手段４に制御信号５ｂ，５ｃを夫々出力し、このメモリ手段３に記憶された映像信号を切換手段４によって切換え出力する。
さて、前記した信号処理手段２は、図４に示すように、例えば、記録媒体１上に形成された凹凸（図示しない）にレーザ信号を照射して得られた変調記録された信号を読み取るフォトダイオード２１、このフォトダイオード２１が読み取った信号を増幅するプリアンプ２２、増幅された信号の高域成分を所定量に持ち上げるＲＦ補償器２３、このＲＦ補償器２３から出力された信号の所定の周波数成分を分離するバンドパスフィルタ（ＢＰＦ）２４、このＦＭ補償器２３から出力された信号のドロップアウト（信号の部分的な欠落あるいは劣化）を検出するドロップアウト検出器２９、前記したＢＰＦ２４から分離した信号の不要な高域成分を除去するリミッタ２５、このリミッタ２５から出力された信号を復調するＦＭ復調器２６、前記したドロップアウト検出器２９の検出結果に基づいてこのＦＭ復調器２６から出力された復調映像信号と１Ｈ遅延線２７が出力する１水平走査線前の復調映像信号とを切換え出力して連続した信号を出力するスイッチ２８、復調映像信号のノイズ成分を低減するディエンファシス３０、後述する図示しないクロックパルス発生器からのパルスに基づいてこのディエンファシス３０が出力する復調映像信号が持つワウフラッタやジッタ（ディスクの偏心又は回転ムラ）を除去するＣＣＤ可変遅延線３１、このＣＣＤ可変遅延線３１が除去したジッタの内速度の早いジッタに起因する色乱れや色ムラを除去するクロマ位相変調器３２、前記したサーチにおいて前記した制御ＣＰＵ５２の制御によって不必要な映像信号を送り出さないために前記したスケルチ情報に基づいて映像信号をミュートするスケルチスイッチ３３、前記したキャラクタ発生ＩＣ５３の出力するキャラクタ信号を映像画面上に表示するキャラクタ加算器３４、映像信号の高域成分に分布するノイズを除去するノイズリダクション３５から構成される。
【００２６】
また、ここでは詳述しないが、この信号処理手段２は、上記したような映像信号処理系と同様にこの記録媒体に記録された音声信号の信号処理系を持つことは勿論である。
【００２７】
さて、ここで、前記したＣＣＤ可変遅延線３１から出力された映像信号を図示しないバーストゲート回路に供給し、このバーストゲート回路によって映像信号からカラーバーストを抜き出し、これを図示しない位相比較器に供給する。また、図示しない基準信号発生器によって出力された基準サブキャリアと前記したバーストゲート回路からのカラーバーストとをこの位相比較器に夫々供給することによって再生された映像信号におけるカラーバーストの位相のずれ（ジッタに比例した誤差電流）が検出されるので、これを位相情報として前記したクロマ位相変調器３２に供給し、この位相情報に基づいてこの位相のずれを打ち消すように位相変調を行いジッタを除去する。
更に、前記した位相比較器によって得られた基準サブキャリアとの誤差電流に基づいてクロックパルスを生成してこれを前記したようにＣＣＤ可変遅延線３１に供給することでこのＣＣＤ可変遅延線３１の遅延時間を定めるクロック周波数を制御する。
【００２８】
こうして再生出力された映像信号は上記したように次段の前記したメモリ手段３及び切換手段４に夫々供給される。
【００２９】
前記したメモリ手段３は映像信号を１フレーム期間分だけ記憶保持可能なメモリ回路であって、通常は書き込みＯＮ（信号記憶可能）の状態に設定されている。そして、例えば、前記した制御手段５が前記したＥＰＮを検出したとき次のシーンの再生位置（ＳＰＮ）を検索するサーチ動作に入るので、この制御手段５は、映像信号の出力をミュートする制御信号を前記したスケルチスイッチ３３に供給し、このメモリ手段３を書き込みＯＦＦの状態に設定すると同時に、その直前にこのメモリ手段３が記憶した映像信号を出力する制御信号（メモリ制御信号）５ｂを供給する。そして、前記した制御手段５はこの切換手段４がメモリ手段３からの映像信号を切換え出力するよう制御信号５ｃ（切換制御信号）を供給する。
【００３０】
そして、前記した制御手段５が次に再生するシーンのＳＰＮを検出したとき、このピクチャ番号から通常再生を行い、この制御手段５は前記したメモリ手段３を書き込みＯＮの状態に設定指示する制御信号５ｂを出力し、前記した信号処理手段２からの映像信号を切換え出力するよう前記した切換手段４に制御信号５ｃを供給する。
【００３１】
こうして、所望の順番でシーンを再生するために次のシーンをサーチするとき、サーチする直前に記憶した映像信号を切換え出力することで映像信号をとぎれること無く再生することができる。
【００３２】
ここで、上記したメモリ手段３は書き込みＯＮの状態において、例えば、所定のフレーム期間毎に書き込みが行われており、常に記憶される内容が更新される。従って、このときのメモリ手段３は、前述の１Ｈ遅延線２７が１水平走査期間前の走査線の情報を保持しているのと同じ様に、例えば、１フレーム前の映像信号（静止画像信号）を記憶保持してこれを出力するというフレーム遅延線の働きを呈することになる。
【００３３】
次に、本発明の編集装置の具体的な動作を図５を用いて説明する。図５に示すように、時間軸上の編集開始の位置において本編集装置の編集動作を開始するものとする。このとき前記した制御手段５から制御信号５ａ，５ｂ，５ｃが夫々出力され、これらに基づいて前記した信号処理手段２、メモリ手段３、切換手段４が夫々制御される。
【００３４】
前述のように、例えば、ユーザが図示しない操作部を操作することにより設定した編集情報に基づいて制御ＣＰＵ５２が前記した制御信号５ａを前記した信号処理手段２に供給（図５（Ａ）に図示）すると、最初に再生されるべきシーン  （シーン１）のサーチを行う。この時点で前記したメモリ手段３は制御信号５ｂによって映像信号書き込みＯＮの状態に保たれる（同図（Ｂ）に図示）。そして、前記した切換手段４は制御信号５ｃによって前記した信号処理手段２から供給される映像信号２ａを出力する状態に保たれる（同図（Ｃ）に図示）が、サーチが開始されると前記したスケルチスイッチ３３が映像信号の出力をミュートするので映像信号は出力されない。
【００３５】
このサーチによって前記した制御ＣＰＵ５２がシーン１のＳＰＮを検出すると、前記した信号処理手段２が通常再生を行うように制御信号５ａが切替わり（同図（Ａ）に図示）、最初のシーン１の再生が行われる。このとき再生時間情報は再生に合わせて通常の時間変化を呈する（同図（Ｄ）に図示）。また、このシーンの再生は、前述したように、制御手段５が時々刻々と変化するＣＰＮ（現在のピクチャ番号）が予め設定されたＥＰＮ（再生停止のピクチャ番号）に達するまで継続され、このＥＰＮが検出されると再び前述のサーチを開始し、次のシーン（シーン２）のＳＰＮを検索する（同図（Ａ）に図示）と同時に前記したメモリ手段３は前記した制御信号５ｂによって書き込みＯＦＦの状態に設定され、そのときにこのメモリ手段３が直前に記憶した映像信号を読み出し、出力する（同図（Ｂ）に図示）。更に、前記した切換手段４は前記した制御信号５ｃによってメモリ手段３からの出力信号を切換え出力する（同図（Ｄ）に図示）。こうして、所望の順番で上記した動作を繰り返すことによって編集されたシーンを再生することができる。
【００３６】
ここで、前記した切換手段４は、シーン１からシーン２に切替わるとき、シーン２の再生が始まると、例えば、メモリ手段３から出力している映像に前記した信号処理手段２から出力されるシーン２の映像信号のミキシング比を可変することにより２つの映像を重畳させながら入れ替えるオーバーラップを行い、よりスムーズに映像の切替えを行う。
【００３７】
さて、記録媒体の一例として、例えば光ディスク等は、映像信号等のプログラム収録前後にリードイン及びリードアウトトラックを有しており、これによってプレーヤ等の再生装置の再生開始や終了を自動的に行うものでこの光ディスクから映像信号を再生する動作に先立って読み出されるものである。そこで、上記した編集装置は、前記した操作部を操作することによりユーザが予め入力指示した編集情報を記録媒体１上の前記したリードイントラックの所定の場所に書き込むことによってこの編集情報を記録保持する。そして、本編集装置の再生動作に先立ってこの編集指示を読み出すことで、１度設定した編集指示に基づいて何度でも映像シーンを場面毎に所望の順番で再生することができる。
【００３８】
ここで、このリードイントラックは、例えば光ディスク等を再生する際の再生開始、終了を自動で行うための制御信号が記録されるので、例えばディスクの最内周に設けられている。このため、リードイントラックの検出位置を一定にすることが可能となり、別体のディスクでも同様にこのリードイントラックに記録されている情報を読み出すことができる。
【００３９】
例えば、ユーザがサッカー等のスポーツを記録した記録媒体（例えばディスク１とする）を編集する際、対戦チーム双方が得点するシーンのみをダイジェストで再生する編集する編集指示を行うと、これに基づく編集情報をディスク１のリードイントラック上に記憶保持する。また、ユーザが世界各国の観光地の風景を記録した記録媒体（例えばディスク２とする）を編集する際、所望の国の順番で再生するよう編集する編集指示を行うと、これに基づく編集情報をディスク２のリードイントラック上に記憶保持する。
こうして、ディスク１又はディスク２のいずれかを再生するときも前記したリードイントラックに書き込まれた編集情報が制御手段５に読み出され、それに基づいてこの制御手段５がディスク１あるいはディスク２に夫々対応する編集を行って再生する。
【００４０】
尚、前述した実施例において記録媒体の一例として光ディスクについて説明をしたが、これに限定されるものではなく、磁気テープ等の磁気記録媒体などを用いても良いことは勿論である。
【００４１】
尚、このメモリ手段３のメモリ回路の記憶容量を増やすことによって静止画像のみならず動画を記憶させるようにしても良いことは勿論である。
【００４２】
尚、前述した実施例では、記録媒体上のリードイントラックに編集情報を記憶保持し、再生時にこれを読み出していたが、この編集情報を、例えば、制御手段５において記憶保持しても良いことは勿論である。
【００４３】
尚、前述した切換手段４において、映像を拭い去るように切換えるワイプアウト又は画面全体を徐々に白くするホワイトアウトから切換えた画面に徐々に戻るホワイトイン等の画面切換を行うことよりスムーズな場面切り替えと同時に視覚的効果を得るようにしても良いことは勿論である。
【００４４】
【発明の効果】
上述したように、請求項１に記載した本発明の構成によれば、本編集装置単体で記録媒体に記録された映像信号を直接編集して再生することができるので、従来複製を作成するために必要であった個別の映像信号再生手段と映像信号記録手段の省略が可能となるのでその構成が簡易にできると共に、複製を作成した後それを再生するということが無くなるので、ダビング等による映像信号のＳ／Ｎ劣化等が生じないという効果がある。
【００４５】
更に、本編集装置はフレームメモリから映像を出力することによってランダムアクセス中にとぎれること無く映像信号を出力することができる。そして、このメモリから映像を出力するとき、オーバーラップ、ワイプアウト又はフェードイン、アウト等の映像効果を呈することができるという効果がある。
【００４６】
上述したように、請求項２に記載した本発明の構成によれば、上記した効果に加え、１度設定した編集情報を記録媒体上に記憶保持することができるため、何度でもこの編集情報に基づいて映像を編集して再生することができるという効果がある。また、別の内容を記録した記録媒体夫々について設定した編集情報により映像を編集して再生することができるという効果がある。
さらには、編集装置側にも編集情報を記憶できる構成としたので、１度編集情報を設定した記録媒体に対しては、何度でもこの編集情報に基づいて映像を編集して再生することができるという効果がある。
【図面の簡単な説明】
【図１】本発明に係る編集装置の一実施例を説明するためのブロック図である。
【図２】制御手段の動作を説明するためのブロック図である。
【図３】サーチ動作を説明するためのフローチャート
【図４】信号処理手段の動作を説明するためのブロック図である。
【図５】本発明に係る編集装置の動作を説明するためのタイムチャートである。
【図６】従来の編集装置を説明するためのブロック図である。
【符号の説明】
１  記録媒体
２  信号処理手段
２ａ  映像信号
３  記憶手段
４  切換手段
５  制御手段
５１ａ  編集指示情報
【図１】
0003557636.tif 000002
【図２】
0003557636.tif 000003
【図３】
0003557636.tif 000004
【図４】
0003557636.tif 000005
【図５】
0003557636.tif 000006
【図６】
0003557636.tif 000007